(57)【要約】【課題】カメラ付き携帯電話機において補助光源８を装備した場合の電子部品９の損傷や回路基板５の大型化を回避する。【解決手段】本発明に係るカメラ付き携帯電話機においては、カメラ７による撮影時に発光する補助光源８が配備され、カメラ７及び補助光源８は、共通の回路基板５上に互いに隣接して搭載されている。補助光源８は、回路基板５上に枠状のフレーム６を介して支持されると共に、フレキシブルリード５７を介して回路基板５と接続されている。【選択図】　　　図８
2004088262.tif 000002
【特許請求の範囲】
【請求項１】
カメラ窓（２３）に向けてカメラ（７）が配備されている携帯電話機において、カメラ窓（２３）に隣接して補助光窓（２４）が設けられ、該補助光窓（２４）に向けて、カメラ（７）による撮影時に発光する補助光源（８）が配備され、カメラ（７）及び補助光源（８）は、共通の回路基板（５）上に互いに隣接して搭載され、補助光源（８）は、該回路基板（５）上に枠状のフレーム（６）を介して支持されると共に、フレキシブルリード（５７）を介して回路基板（５）と接続されていることを特徴とするカメラ付き携帯電話機。
【請求項２】
回路基板（５）上には、フレーム（６）の周壁によって包囲された領域に、１或いは複数の電子部品（９）が配備されている請求項１に記載のカメラ付き携帯電話機。
【請求項３】
カメラ（７）は、前記フレーム（６）上に支持されて、回路基板（５）と接続されている請求項１又は請求項２に記載のカメラ付き携帯電話機。
【発明の詳細な説明】
【０００１】
【発明の属する技術分野】
本発明は、カメラを一体に具えて撮影の可能な携帯電話機に関するものである。
【０００２】
【従来の技術】
近年、カメラ付きの携帯電話機が普及している。例えば図９に示すカメラ付き携帯電話機は、本体（３０）と蓋体（２０）をヒンジ機構（１０４）によって連結してなる折り畳み式携帯電話機であって、蓋体（２０）の外面には、補助ディスプレイ（１０１）とカメラ窓（１０２）が設けられている。カメラ窓（１０２）の奥部には、ＣＣＤカメラ（図示省略）が設置されている。又、蓋体（２０）の外面には、カメラ窓（１０２）の側部に、ユーザ自身の像を撮影する際に自身の像を写すことによってカメラの向きを調節するためのミラー部材（１０３）が配備されている。
【０００３】
【発明が解決しようとする課題】
しかしながら、従来のカメラ付き携帯電話機においては、ＣＣＤカメラによる撮影時に周囲が暗い場合、自然光だけでは十分な明度が得られず、撮影画像が不鮮明となる問題があった。そこで、カメラ付き携帯電話機にＬＥＤ等の補助光源（フラッシュ）を配備して、撮影時の明度を補うことが考えられる。
【０００４】
ところで、携帯電話機は小型化の一途を辿っており、この様な小型の携帯電話機にＣＣＤカメラと補助光源を配備する場合、補助光源は、従来の携帯電話機の構成に新たに追加される部品であり、更に補助光源の点灯を制御するための電子部品も必要となるので、小型のケーシング内の回路基板上に補助光源や電子部品をコンパクトに設置する必要がある。しかし、補助光源は発光によって発熱するため、周囲の電子部品がその熱を受けて損傷する虞がある。又、補助光源の設置によって、回路基板上の実装面積が減少するため、回路基板の大型化を余儀なくされる問題がある。
【０００５】
そこで本発明の目的は、補助光源を装備したカメラ付き携帯電話機において、補助光源の発熱による電子部品の損傷や回路基板の大型化の問題を解消することである。
【０００６】
【課題を解決する為の手段】
本発明に係るカメラ付き携帯電話機においては、カメラ窓（２３）に向けてカメラ（７）が配備されると共に、カメラ窓（２３）に隣接して補助光窓（２４）が設けられ、該補助光窓（２４）に向けて、カメラ（７）による撮影時に発光する補助光源（８）が配備されている。
カメラ（７）及び補助光源（８）は、共通の回路基板（５）上に互いに隣接して搭載され、補助光源（８）は、該回路基板（５）上に枠状のフレーム（６）を介して支持されると共に、フレキシブルリード（５７）を介して回路基板（５）と接続されている。
【０００７】
上記本発明のカメラ付き携帯電話機においては、発熱体である補助光源（８）が、回路基板（５）上にフレーム（６）を介して支持されているので、補助光源（８）から発せられる熱は、フレーム（６）を伝わって回路基板（５）に流れ込むことになるが、フレーム（６）を伝わる過程で温度が大幅に低下するため、回路基板（５）上の電子部品が熱によって損傷する虞はない。
又、回路基板（５）上のフレーム（６）は枠状に形成されて、その周壁の内側の領域に、複数の電子部品を配備することが可能となり、これによって回路基板上の実装面積を拡大することが出来る。
【０００８】
具体的構成において、カメラ（７）は、前記フレーム（６）上に支持されて、回路基板（５）と接続されている。
該具体的構成によれば、回路基板（５）上のフレーム（６）によってカメラ（７）と補助光源（８）が支持されるので、これらの部品がユニット化されて、コンパクトな配置が可能となる。
【０００９】
【発明の効果】
本発明に係るカメラ付き携帯電話機によれば、電子部品の熱損傷や回路基板の大型化を招くことなく補助光源を装備することが出来る。
【００１０】
【発明の実施の形態】
以下、本発明を折り畳み式携帯電話機に実施した形態につき、図面に沿って具体的に説明する。
本発明に係る折り畳み式携帯電話機においては、図１及び図２に示す如く、複数の入力キー（１１）が配列された本体（１）と、主ディスプレイ（２１）を具えた蓋体（２）とが、ヒンジ機構（３）を介して互いに連結され、開閉が可能となっている。
【００１１】
蓋体（２）は、図３に示す如く、下半ケース（２５）と上半ケース（２６）によって形成される扁平なキャビネットを具え、該キャビネットの内部には、枠体（４０）に主ディスプレイ（２１）、補助ディスプレイ（４１）、ＣＣＤカメラ（７）、補助光源（８）等を搭載して構成されるアセンブリ（４）が収容されている。
上半ケース（２６）には、ＣＣＤカメラ（７）との対向位置にカメラ窓（２３）が設けられると共に、補助光源（８）との対向位置に補助光窓（２４）が設けられている。又、下半ケース（２５）には、主ディスプレイ（２１）を露出させるための開口（２７）が形成されている。
【００１２】
アセンブリ（４）においては、図５及び図６に示す如く、補助ディスプレイ（４１）を搭載した枠体（４０）の上端部に、回路基板（５）が設置され、該回路基板（５）上に、合成樹脂製のフレーム（６）が取り付けられる。
回路基板（５）は図４に示す如く、１枚の母体基板（５０）と、該母体基板（５０）から伸びる複数本のフレキシブルリード（５５）（５６）（５７）（５８）の先端部に連結された複数枚の分離基板（５１）（５２）（５３）（５４）（５９）とから構成される。
【００１３】
図５に示す如く、回路基板（５）の１枚の分離基板（５３）の裏面には、ＣＣＤからなる補助光源（８）が取り付けられている。又、２枚の分離基板（５１）（５２）の裏面にはそれぞれ、枠体（４０）に取り付けられている回路基板（図示省略）と連結するためのコネクター（図示省略）が配備されている。
【００１４】
ＣＣＤカメラ（７）はフレーム（６）上に搭載されている。
一方、補助光源（８）は、図６に示す組立状態からフレキシブルリード（５７）を１８０度折り返すことによって、フレーム（６）上に設置され、フレーム（６）に対して貼着固定される。
これによって、ＣＣＤカメラ（７）と補助光源（８）は、図７に示す如く互いに近接して、同じ向きに設置されることになる。
【００１５】
ＣＣＤカメラ（７）は、図８に示す如く補助基板（７１）上に設置されており、該補助基板（７１）がフレーム（６）上に支持されている。該ＣＣＤカメラ（７）は、コネクター（７２）を介して回路基板（５）と連結される。
補助基板（７１）の表面及び裏面には、ＣＣＤカメラ（７）の動作を制御するための複数の電子部品（９１）（９２）が搭載されている。
又、回路基板（５）の表面には、フレーム（６）の周壁によって包囲された領域に、補助光源（８）の点灯を制御するための複数の電子部品（９）が搭載されている。補助光源（８）は、前述のフレキシブルリード（５７）を介して、これらの電子部品（９）と接続されている。
【００１６】
上記折り畳み式携帯電話機においては、図８に示す如く、発熱体である補助光源（８）は、回路基板（５）上に直接に搭載されるのではなく、回路基板（５）上に枠状のフレーム（６）を介して支持されているので、補助光源（８）から発せられる熱は、フレーム（６）を伝わる過程で大幅に温度が低下した後、回路基板（５）に伝わることになる。従って、回路基板（５）上の電子部品（９）が熱損傷を受ける虞はない。
又、補助光源（８）は、回路基板（５）上にフレーム（６）を介して支持されて、補助光源（８）の下方領域、即ちフレーム（６）の周壁によって包囲された領域に、複数の電子部品（９）の設置スペースが確保されるので、補助光源（８）の装備によって回路基板（５）の実装面積が減少することはない。
【００１７】
更に又、補助光源（８）と回路基板（５）とは、フレキシブルリード（５７）を介して互いに連結されているので、補助光源（８）と回路基板（５）をコネクターによって連結する構造と比べて、部品点数の削減が図られると共に、補助光源（８）の配置の自由度が高まることになる。
【００１８】
尚、本発明の各部構成は上記実施の形態に限らず、特許請求の範囲に記載の技術的範囲内で種々の変形が可能である。例えば、ＣＣＤカメラ（７）と回路基板（５）との連結にも、フレキシブルリードによる連結構造を採用することが出来る。
【図面の簡単な説明】
【図１】本発明に係る折り畳み式携帯電話機を閉じた状態の斜視図である。
【図２】本発明に係る折り畳み式携帯電話機を開いた状態の斜視図である。
【図３】該折り畳み式携帯電話を構成する蓋体の分解斜視図である。
【図４】回路基板の展開斜視図である。
【図５】アセンブリの分解斜視図である。
【図６】アセンブリの組み立て状態を示す斜視図である。
【図７】アセンブリの平面図である。
【図８】図７のＡ−Ａ線に沿う拡大断面図である。
【図９】従来の折り畳み式携帯電話機の斜視図である。
【符号の説明】
（１）　本体
（２）　蓋体
（２１）　主ディスプレイ
（２２）　補助表示窓
（２３）　カメラ窓
（２４）　補助光窓
（４）　アセンブリ
（４０）　枠体
（４１）　補助ディスプレイ
（５）　回路基板
（５３）　分離基板
（５７）　フレキシブルリード
（６）　フレーム
（７）　ＣＣＤカメラ
（８）　補助光源
（９）　電子部品
【図１】
2004088262.tif 000003
【図２】
2004088262.tif 000004
【図３】
2004088262.tif 000005
【図４】
2004088262.tif 000006
【図５】
2004088262.tif 000007
【図６】
2004088262.tif 000008
【図７】
2004088262.tif 000009
【図８】
2004088262.tif 000010
【図９】
2004088262.tif 000011